(57)【要約】【課題】比較的簡易な回路にて、画素数が異なる複数のパネルを切り替え表示することができると共に、パネルの表示切替時の表示不良を抑制することができる表示装置を提供する。【解決手段】画素数の異なる２つのパネル２０，３０を駆動する表示装置１において、パネル電源オン時やパネルの表示切替時に、所定期間、各表示パネルのすべての画素に０Ｖを書き込む初期化シーケンスを行う。このとき、２つのパネル２０及び３０の画素数にそれぞれ対応したサンプリングの実行周期を示す水平クロック信号（ＣＫＨ１，ＣＫＨ２，ＣＫＨ１ＥＶ，ＣＫＨ２ＥＶ）を個別に生成する。【選択図】図１
2009265356.tif 000002
【特許請求の範囲】
【請求項１】
複数の走査線と複数のデータ線との交差に対応して設けられた複数の画素と、画像データのサンプリングを行う駆動回路とをそれぞれ有する複数の表示パネルと、前記複数の表示パネルの駆動回路を制御する制御回路と、を備える表示装置であって、
前記複数の表示パネルは、それぞれ画素数が異なり、何れか１つが表示状態となるように構成されており、
前記制御回路は、前記複数の表示パネルのうち、表示状態とする表示パネルの画素数に対応した入力周波数を有する映像信号が入力されるものであって、
前記複数の表示パネルの前記画素に所定期間、オフ電圧を印加する初期化回路と、
前記初期化回路で前記オフ電圧を印加する間、前記複数の表示パネルの画素数にそれぞれ対応した前記サンプリングの実行周期を示すクロック信号を個別に生成するクロック信号生成回路と、を備えることを特徴とする表示装置。
【請求項２】
前記クロック信号生成回路は、前記映像信号の入力周波数が、非表示状態とする前記表示パネルの画素数に対応した入力周波数より低いとき、前記映像信号の入力周波数から分周して当該非表示状態とする表示パネルの画素数に対応した周期の前記クロック信号を生成することを特徴とする請求項１に記載の表示装置。
【請求項３】
前記初期化回路は、前記複数の表示パネルの電源をオンするとき、前記複数の表示パネルの電源をオフするとき、及び前記複数の表示パネル間で表示状態とする表示パネルを変更するときの何れかにおいて、前記複数の画素に所定期間、オフ電圧を印加することを特徴とする請求項１又は２に記載の表示装置。
【請求項４】
前記所定期間は、複数のフレーム期間であることを特徴とする請求項３に記載の表示装置。
【発明の詳細な説明】
【技術分野】
【０００１】
本発明は、画素数の異なる複数の表示パネルを駆動する表示装置に関する。
【背景技術】
【０００２】
従来、例えばデジタルビデオカメラやデジタルスチルカメラ等、２つの表示パネルを備えた表示装置として、１チップのＩＣにて上記２つの表示パネルを同時駆動するというものが知られている（例えば、特許文献１参照）。ここでは、スタート信号及びクロック信号を、表示パネル毎に位相を異ならせて個別に生成することで、２つの表示パネルのサイズが異なる場合であっても、配線負荷の大きさの違いに起因する表示のずれを抑制している。
【０００３】
一方、１チップのＩＣにて画素数の異なる２つの表示パネルを駆動させるために、アンプの出力を共通化した場合、どちらか一方の表示パネルに合わせた入力クロックでは、他方の表示パネルにおいて画素数に合わせた駆動制御を行うことができない場合がある。
そこで、各表示パネルの画素数よりも高い標準映像信号を入力し、当該標準映像信号から、内部の信号処理にて各表示パネルの画素数に合わせた映像信号等を生成することで、各表示パネルの画素数に応じた駆動制御を実現することが考えられる。
【特許文献１】特開２００６−１５４２２５号公報
【発明の開示】
【発明が解決しようとする課題】
【０００４】
しかしながら、上記の駆動制御方法にあっては、上述したように標準映像信号から表示パネルの画素数に合わせた映像信号等を生成する必要があり、回路が複雑になる。
そこで、本発明は、比較的簡易な回路にて、画素数が異なる複数のパネルを切り替え表示することができると共に、パネルの表示切替時の表示不良を抑制することができる表示装置を提供することを課題としている。
【課題を解決するための手段】
【０００５】
上記課題を解決するために、本発明に係る表示装置は、複数の走査線と複数のデータ線との交差に対応して設けられた複数の画素と、画像データのサンプリングを行う駆動回路とをそれぞれ有する複数の表示パネルと、前記複数の表示パネルの駆動回路を制御する制御回路と、を備える表示装置であって、前記複数の表示パネルは、それぞれ画素数が異なり、何れか１つが表示状態となるように構成されており、前記制御回路は、前記複数の表示パネルのうち、表示状態とする表示パネルの画素数に対応した入力周波数を有する映像信号が入力されるものであって、前記複数の表示パネルの前記画素に所定期間、オフ電圧を印加する初期化回路と、前記初期化回路で前記オフ電圧を印加する間、前記複数の表示パネルの画素数にそれぞれ対応した前記サンプリングの実行周期を示すクロック信号を個別に生成するクロック信号生成回路と、を備えることを特徴としている。
【０００６】
これにより、複数の表示パネルの画素数がそれぞれ異なる場合であっても、各表示パネルの画素数に応じた駆動制御を行うことができる。
このとき、複数の表示パネルのうち、表示状態とするパネルについては、入力される映像信号と表示する画像データとを一対一の関係とすることができるので、入力信号から表示パネルの画素数に合わせた画像データを生成する等の必要がなくなり、回路を単純化することができる。
【０００７】
また、複数の表示パネルの各画素にオフ電圧を印加する間、各表示パネルの画素数にそれぞれ対応したサンプリングの実行周期を示すクロック信号を個別に生成するので、映像信号の入力周波数が表示パネルの画素数に対応していなくても（映像信号の入力周波数が低くても）、すべての画素に書き込みを行うことができ、適正に初期化シーケンスを実行することができる。
【０００８】
さらに、本発明に係る表示装置は、上記において、前記クロック信号生成回路は、前記映像信号の入力周波数が、非表示状態とする前記表示パネルの画素数に対応した入力周波数より低いとき、前記映像信号の入力周波数から分周して当該非表示状態とする表示パネルの画素数に対応した周期の前記クロック信号を生成することを特徴としている。
これにより、映像信号の入力周波数が、非表示状態とする表示パネルの画素数に対応した入力周波数以上である場合には、入力された映像信号の周波数でも非表示状態とする表示パネルのすべての画素に書き込みが行えるとして、通常駆動と同様にクロック信号を生成し、映像信号の入力周波数が、非表示状態とする表示パネルの画素数に対応した入力周波数より低い場合には、非表示状態とする表示パネルのすべての画素に書き込みが行えるような周期のクロック信号を生成することができる。
【０００９】
また、本発明に係る表示装置は、上記において、前記初期化回路は、前記複数の表示パネルの電源をオンするとき、前記複数の表示パネルの電源をオフするとき、及び前記複数の表示パネル間で表示状態とする表示パネルを変更するときの何れかにおいて、前記複数の画素に所定期間、オフ電圧を印加することを特徴としている。
これにより、電源のオン／オフ時や表示パネルの表示切替時に初期化シーケンスを行うことができると共に、初期化シーケンスを行う際に表示上不具合が発生することを抑制することができる。
【００１０】
さらに、本発明に係る表示装置は、上記において、前記所定期間は、複数のフレーム期間であることを特徴としている。
これにより、初期化シーケンスにおいて、すべての画素を確実に初期状態とすることができる。
【発明を実施するための最良の形態】
【００１１】
以下、本発明の実施の形態を図面に基づいて説明する。
図１は本実施形態の表示装置１の構成を示すブロック図である。
本実施形態では、例えば、デジタルビデオカメラやデジタルスチルカメラ等に適用される、ＬＣＤモニタ及び液晶ビューファインダ（ＥＶＦ）の２つの液晶パネルを備えた液晶表示装置に本発明を適用した場合について説明する。なお、ここでは、ＬＣＤモニタ用及びＥＶＦ用共に、アクティブマトリクス方式の薄膜トランジスタ（ＴＦＴ）を用いた液晶パネルを適用するものとする。
【００１２】
この図１に示すように、表示装置１は、ＥＶＦ用液晶パネル（サブモニタ）２０と、ＬＣＤモニタ用液晶パネル（メインモニタ）３０と、２つのパネル２０及び３０を駆動制御する制御回路１０とを備えて構成されている。このように、本実施形態における表示装置１では、１つの制御回路１０にて、２つのパネル２０及び３０を駆動している。
制御回路１０は、１チップのＩＣとして構成されており、その内部には、タイミングコントローラ１１が形成されている。このタイミングコントローラ１１は、パネル２０及び３０に供給するための各種駆動信号を生成する。
【００１３】
タイミングコントローラ１１は、モニタ毎の個別の駆動信号として、サブモニタ２０用の水平スタート信号ＳＴＨＥＶ、サブモニタ２０用の水平クロック信号ＣＫＨ１ＥＶ，ＣＫＨ２ＥＶを生成するサブモニタ用駆動信号生成部１２と、メインモニタ３０用の水平スタート信号ＳＴＨ、メインモニタ３０用の水平クロック信号ＣＫＨ１，ＣＫＨ２を生成するメインモニタ用駆動信号生成部１３と、サブモニタ２０用及びメインモニタ３０用の共通の駆動信号として、垂直スタート信号ＳＴＶ、垂直クロック信号ＣＫＶ、及びプリチャージ信号ＤＳＧを生成する共通駆動信号生成部１４とを備えている。
【００１４】
なお、サブモニタ用駆動信号生成部１２及びメインモニタ用駆動信号生成部１３がクロック信号生成回路に対応している。
このように、タイミングコントローラ１１は、水平スタート信号及び水平クロック信号をパネル分生成する。そして、この水平スタート信号及び水平クロック信号の作動状態をパネル毎に個別に制御することで、２つのパネルの表示切替を行うことができる構成となっている。
【００１５】
ここでは、点順次駆動方式にて各液晶パネルを駆動制御するものとする。また、水平クロック信号ＣＫＨ１ＥＶとＣＫＨ２ＥＶとは互いに逆相の関係となっており、水平クロック信号ＣＫＨ１とＣＫＨ２も互いに逆相となっているものとする。
２つのパネル２０及び３０は、基本的な構成が共通であり、それぞれ画像表示部２１及び３１、入力端子２２及び３２、垂直走査回路２３及び３３、並びに水平走査回路２４及び３４を備えている。
【００１６】
各パネル２０，３０の画像表示部２１，３１には、それぞれ複数のゲートライン（走査線）が水平方向に併設され、ドレインライン（データ線）が垂直方向に併設されている。またそれら画像表示部２１，３１には、ゲートラインとドレインラインの各交点にそれぞれ対応して画素が配列されている。各画素は、画素電極および薄膜トランジスタ（ＴＦＴ）を備えて構成されている。ＴＦＴのゲートは上記ゲートラインに、そのドレインは上記ドレインラインにそれぞれ接続され、またそのソースは、画素電極に接続されている。
【００１７】
本実施形態では、２つのパネル２０，３０はそれぞれ画素数が異なるものとし、例えば、サブモニタ２０の画像表示部２１の画素数を１５万画素（６１６×２４０）、メインモニタ３０の画像表示部３１の画素数を２３万画素（９５８×２４０）に設定する。
そして、パネル２０及び３０の入力端子２２及び３２には、制御回路１０から出力される前記共通駆動信号（ＳＴＶ、ＣＫＶ、ＤＳＧ）や電源（Ｖｃｃ、ＰＶＤＤ）、映像信号等（Ｖｉｄｅｏ、ＣＯＭ、ＤＳＤ）が共通して入力される。
【００１８】
これに加えてサブモニタ２０の入力端子２２には、水平スタート信号ＳＴＨＥＶ、水平クロック信号ＣＫＨ１ＥＶ，ＣＫＨ２ＥＶが更に入力される。また、メインモニタ３０の入力端子３２には、水平スタート信号ＳＴＨ、水平クロック信号ＣＫＨ１，ＣＫＨ２が更に入力される。
各パネル２０，３０の垂直走査回路２３，３３は、垂直シフトレジスタと、上記画像表示部２１，３１のゲートライン毎に設けられた複数のスイッチング回路とをそれぞれ備えている。各ゲートラインのスイッチング回路は、垂直シフトレジスタからの駆動信号に応じて閉駆動されることで、対応するゲートラインに駆動電圧を印加するように構成されている。これら両パネル２０，３０の垂直走査回路２３，３３には、各々の入力端子２２，３２を通じて、垂直スタート信号ＳＴＶおよび垂直クロック信号ＣＫＶがそれぞれ入力される。
【００１９】
また、各パネル２０，３０の水平走査回路２４，３４は、水平シフトレジスタと、上記画像表示部２１，３１のドレインライン毎に設けられた複数のサンプルホールド回路とをそれぞれ備えて構成されている。これら水平走査回路２４，３４は、入力された映像信号から各画素に表示する画像データをサンプリングするサンプリング回路としての機能をそれぞれ有して構成されている。
【００２０】
水平走査回路２４には、上記入力端子２２を通じて、ビデオ出力（Ｖｉｄｅｏ、ＣＯＭ、ＤＳＤ）と、水平スタート信号ＳＴＨＥＶと、水平クロック信号ＣＫＨ１ＥＶ，ＣＫＨ２ＥＶとが入力される。
また、水平走査回路３４には、上記入力端子３２を通じて、ビデオ出力（Ｖｉｄｅｏ、ＣＯＭ、ＤＳＤ）と、水平スタート信号ＳＴＨと、水平クロック信号ＣＫＨ１，ＣＫＨ２とが入力される。
【００２１】
これら２つのパネル２０及び３０は、何れか一方を表示状態としたとき、他方を非表示状態とするように構成されている。
制御回路１０には、入力信号として、表示状態とする液晶パネルの画素数に応じたクロック周波数（入力周波数）の映像信号が入力される。サブモニタ２０は、ドットクロック周波数１３．５ＭＨｚのシリアルＲＧＢ信号が入力されることで１５万画素の表示が可能となり、メインモニタ３０は、ドットクロック周波数２７ＭＨｚのシリアルＲＧＢｄ信号が入力されることで２３万画素の表示が可能となる。したがって、本実施形態では、１３．５ＭＨｚと２７ＭＨｚの２つの入力信号を用意し、サブモニタ２０を表示させる場合には１３．５ＭＨｚの信号を入力し、メインモニタ３０を表示させる場合には２７ＭＨｚの信号を入力するようにする。
【００２２】
ここで、メインモニタ３０の映像表示の際には、制御回路１０に、シリアルＲＧＢ信号ではなくシリアルＲＧＢｄ信号が入力される。この理由について以下に説明する。
ラインメモリを持たないシステムで、ＲＧＢ（２７ＭＨｚ）のような固定周波数の入力信号を表示させるためには、シリアルＲＧＢ信号の場合１１１ｎｓｅｃ（ナノ秒）毎にＲＧＢを書き込む必要があり、書き込み時間が非常に短くなってしまう。これに対して、ダミー信号（ｄ）を加えたＲＧＢｄ信号の場合、上記ＲＧＢ信号の場合と比較して、両パネルに対する画素書き込みの時間を３７ｎｓｅｃ長くすることができる。すなわち、ビデオのセトリング時間を１４８ｎｓｅｃとすることができる。
【００２３】
これにより、ＩＣの低消費電力化を図ることができると共に、サンプルホールド時間の余裕を増やして、表示マージンを確保することができる。
また、本実施形態では、パネルの電源オン／オフ時やサブモニタ２０からメインモニタ３０への表示切替、及びメインモニタ３０からサブモニタ２０への表示切替の際に、初期化シーケンスとして、複数フレーム期間（例えば、２フレーム期間）、各パネルのすべての画素にオフ電圧を印加する。オフ電圧は、液晶パネルの場合、液晶に電圧が掛からない状態であり、例えば、画素に０Ｖを印加する。さらに、このとき、タイミングコントローラ１１では、画素への書き込み時間にマージンができるように入力周波数から分周したタイミングで反転する水平クロック信号を生成する。
【００２４】
図２は、電源オン時における駆動シーケンスを示すフローチャート、図３は、電源オン時における駆動シーケンスを説明するタイミングチャートである。
先ず、図２のステップＳ１では、ビデオ書き込み用電源Ｖｃｃ及びパネル駆動用電源ＰＶＤＤを立ち上げて、パネル電源をオン状態とし、ステップＳ２に移行する。
ステップＳ２では、ＩＣリセットを行って、各パネルをスリープモードとする。具体的には、ビデオ出力（Ｖｉｄｅｏ、ＣＯＭ、ＤＳＤ）、共通駆動信号（ＳＴＶ、ＣＫＶ、ＤＳＧ）、各パネル用駆動信号（ＳＴＨ、ＣＫＨ１、ＣＫＨ２、ＳＴＨＥＶ、ＣＫＨ１ＥＶ、ＣＫＨ２ＥＶ）をすべてスタンバイ状態とする。
【００２５】
ステップＳ３では、表示状態とするパネルの画素数に応じた入力周波数の映像信号を入力する。すなわち、サブモニタ２０を表示する場合には１３．５ＭＨｚの信号を入力し、メインモニタ３０を表示する場合には２７ＭＨｚの信号を入力する。
ステップＳ４では、表示状態とするパネルのモード設定（ガンマ設定、ノーマリホワイト／ノーマリブラック設定等）を行う。これにより、パネルの通常表示が開始できる状態となる。
【００２６】
なお、このステップＳ１からステップＳ４までの処理は、電源オンから３フレーム期間に行われる。
次に、ステップＳ５では、初期化シーケンスを行う。このとき、共通駆動信号（ＳＴＶ、ＣＫＶ、ＤＳＧ）、及び各パネル用駆動信号（ＳＴＨ、ＣＫＨ１、ＣＫＨ２、ＳＴＨＥＶ、ＣＫＨ１ＥＶ、ＣＫＨ２ＥＶ）のスタンバイ状態を解除する。
【００２７】
ここでは、初期化シーケンスとして、２フレーム期間、両パネルのすべての画素に対して０Ｖを書き込むものとする。この初期化シーケンスについては後で詳述する。
ステップＳ６では、２つのパネルのうち、一方のパネルを表示状態とし、他方のパネルを非表示状態とする。具体的には、非表示状態とするパネルの水平スタート信号及び水平クロック信号を停止すると共に、ビデオ出力（Ｖｉｄｅｏ、ＣＯＭ、ＤＳＤ）のスタンバイ状態を解除する。
【００２８】
ステップＳ７では、２つのパネルのうち、表示状態とする方のパネルのバックライトをオンすることで、通常表示を開始する。
なお、この図２の処理が初期化回路に対応している。
すなわち、図３に示すように、時刻ｔ１で、サブモニタ２０を表示するためにパネル電源がオンすると、この時刻ｔ１からビデオ書き込み用電源Ｖｃｃ及びパネル駆動用電源ＰＶＤＤが立ち上がる。その後は、上述したように各駆動信号をスタンバイ状態として、両パネルをスリープモードとする。ここで、表示状態とするパネルはサブモニタ２０であるため、図２のステップＳ３では１３．５ＭＨｚの映像信号を入力し、ステップＳ４では、サブモニタ２０のモード設定を行う。
【００２９】
そして、電源オンから３フレーム期間後の時刻ｔ２でパネルの通常表示が開始できる状態となる。
時刻ｔ２では、初期化シーケンスが開始される。ここでは、ビデオ出力（Ｖｉｄｅｏ、ＣＯＭ、ＤＳＧ）のスタンバイ状態を維持し、共通駆動信号（ＳＴＶ、ＣＫＶ、ＤＳＧ）、及び各パネル用駆動信号（ＳＴＨ、ＣＫＨ１、ＣＫＨ２、ＳＴＨＥＶ、ＣＫＨ１ＥＶ、ＣＫＨ２ＥＶ）のスタンバイ状態を解除することで、画素に対して０Ｖを書き込むものとする。つまり、ビデオアンプのビデオ出力が、Ｖｉｄｅｏ、ＣＯＭ及びＤＳＧがそれぞれスタンバイ状態であるときにオフ電圧レベル（０Ｖ）となるような回路構成とする。このような回路構成とすることで、低消費電力化を実現することができる。
【００３０】
また、このとき、タイミングコントローラ１１は、パネルの画素数に応じて、画素への書き込み時間にマージンができるように入力周波数から分周した所定のタイミングで反転する水平クロック信号を生成する。
サブモニタ２０用の入力信号（１３．５ＭＨｚのシリアルＲＧＢ信号）が印加された場合、メインモニタ３０側では入力周波数と画素数とが対応していないため、通常駆動時のように、４ｄｏｔｃｌｋ（ドットクロック）単位で水平クロック信号ＣＫＨ１，ＣＫＨ２を反転させると、２３万画素すべてに書き込みを行うことができない。
【００３１】
そこで、図４に示すように、メインモニタ３０については、２ｄｏｔｃｌｋ単位で水平クロック信号ＣＫＨ１，ＣＫＨ２を反転させる。これにより、入力周波数が１３．５ＭＨｚであっても、水平クロック信号ＣＫＨ１，ＣＫＨ２は通常駆動時と同様に１４８ｎｓｅｃ毎に反転されることになり、すべての画素に対する書き込みが可能となる。
一方、サブモニタ２０については、通常通り３ｄｏｔｃｌｋ単位で（２２２ｎｓｅｃ毎に）水平クロック信号ＣＫＨ１ＥＶ，ＣＫＨ２ＥＶを反転させる。
【００３２】
このとき、サブモニタ２０及びメインモニタ３０は、規定の水平周期である６３．５μｓｅｃ以内に水平方向のすべての画素に０Ｖを書き込むことができる。
この初期化シーケンスは時刻ｔ３まで２フレーム期間行われる。
そして、時刻ｔ３では、メインモニタ３０を非表示状態とするために、メインモニタ３０の水平スタート信号ＳＴＨ及び水平クロック信号ＣＫＨ１，ＣＫＨ２を停止する。また、この時刻ｔ３では、ビデオ出力（Ｖｉｄｅｏ、ＣＯＭ、ＤＳＤ）のスタンバイ状態を解除する。
【００３３】
これにより、サブモニタ２０では、サブモニタ２０用の入力信号であるシリアルＲＧＢ信号（１３．５ＭＨｚ）に対応する映像出力が行われる。一方、メインモニタ３０では、水平方向の駆動信号が停止されるため、画素書き込みができなくなる。
但し、このとき、サブモニタ２０及びメインモニタ３０の共通のプリチャージ信号ＤＳＧは駆動状態を維持すると共にＤＳＤのスタンバイ状態が解除されるので、メインモニタ３０ではＤＳＤによるプリチャージのみが行われる。プリチャージ電位としては、各パネルの対極シフト電位が適正となる電圧であることが望ましい。また、パネル毎に対極シフト電圧が異なる場合には、プリチャージ電位として、表示しないパネル側のプリチャージ電圧を印加することで焼き付きを防止することができる。
【００３４】
このように、パネル電源オン時に、２フレーム期間、すべての画素に０Ｖを書き込む初期化シーケンスを実行すると共に、初期化シーケンスを実行している間、水平クロック信号の周期を制御するので、電源オン時における表示不具合の発生を抑制することができる。
また、メインモニタ３０を表示するためにパネル電源をオンした場合にも、同様の初期化シーケンスを行う。この場合、図２のステップＳ３で２７ＭＨｚの映像信号を入力し、ステップＳ４でメインモニタ３０のモード設定を行う。
【００３５】
その後、ステップＳ５の初期化シーケンスにおいては、ビデオ出力（Ｖｉｄｅｏ、ＣＯＭ、ＤＳＧ）のスタンバイ状態を維持すると共に、共通駆動信号（ＳＴＶ、ＣＫＶ、ＤＳＧ）、及び各パネル用駆動信号（ＳＴＨ、ＣＫＨ１、ＣＫＨ２、ＳＴＨＥＶ、ＣＫＨ１ＥＶ、ＣＫＨ２ＥＶ）のスタンバイ状態を解除することで、画素に対して０Ｖを書き込む。このとき、タイミングコントローラ１１は、図５に示すように、メインモニタ３０については、通常通り４ｄｏｔｃｌｋ単位（１４８ｎｓｅｃ毎に）で水平クロック信号ＣＫＨ１，ＣＫＨ２を反転させる。また、サブモニタ２０についても、水平クロック信号ＣＫＨ１，ＣＫＨ２と同等のタイミングで水平クロック信号ＣＫＨ１ＥＶ，ＣＫＨ２ＥＶを反転させる。
【００３６】
メインモニタ３０の方がサブモニタ２０より画素数が高いため、メインモニタ３０用の入力（２７ＭＨｚのシリアルＲＧＢｄ信号）が印加された場合、４ｄｏｔｃｌｋ単位でサブモニタ２０用の水平クロック信号ＣＫＨ１ＥＶ，ＣＫＨ２ＥＶを反転させても、１５万画素すべてを表示することができる。したがって、入力周波数２７ＭＨｚの場合（入力周波数が画素数に対応した入力周波数以上である場合）には、水平クロック信号ＣＫＨ１ＥＶ，ＣＫＨ２ＥＶと水平クロック信号ＣＫＨ１，ＣＫＨ２との周期を等しく設定する。
【００３７】
なお、ここではパネル電源をオンする場合の初期化シーケンスについて説明したが、パネル電源をオフする場合や、各パネルをスリープモードに移行させる場合にも、残像をなくすために電源オン時と同様に初期化シーケンスを行うようにする。
次に、パネルの表示切替時における駆動シーケンスについて説明する。
図６は、パネル表示切替時における駆動シーケンスを示すフローチャートである。なお、この図６の処理が初期化回路に対応している。
【００３８】
先ず、図６のステップＳ１１では、表示切替コマンドが入力され、サブモニタ２０からメインモニタ３０への表示切替、又はメインモニタ３０からサブモニタ２０への表示切替を行うための駆動シーケンスを開始する。
ステップＳ１２では、表示状態となっているパネルのバックライトをオフして、ステップＳ１３に移行する。
【００３９】
ステップＳ１３では、ＩＣリセットを行って、各パネルをスリープモードとする。具体的には、ビデオ出力（Ｖｉｄｅｏ、ＣＯＭ、ＤＳＤ）、共通駆動信号（ＳＴＶ、ＣＫＶ、ＤＳＧ）、各パネル用駆動信号（ＳＴＨ、ＣＫＨ１、ＣＫＨ２、ＳＴＨＥＶ、ＣＫＨ１ＥＶ、ＣＫＨ２ＥＶ）をすべてスタンバイ状態とする。これにより、両パネルは映像出力が停止された状態となる。
【００４０】
次に、ステップＳ１４では、初期化シーケンスとして、２フレーム期間、両パネルのすべての画素に対して０Ｖを印加する。
この初期化シーケンスでは、２フレーム期間、ビデオ出力（Ｖｉｄｅｏ、ＣＯＭ、ＤＳＤ）のスタンバイ状態を維持すると共に、共通駆動信号（ＳＴＶ、ＣＫＶ、ＤＳＧ）、及び各パネル用駆動信号（ＳＴＨ、ＣＫＨ１、ＣＫＨ２、ＳＴＨＥＶ、ＣＫＨ１ＥＶ、ＣＫＨ２ＥＶ）のスタンバイ状態を解除する。
【００４１】
そして、２フレーム期間経過後、再び共通駆動信号（ＳＴＶ、ＣＫＶ、ＤＳＧ）、及び各パネル用駆動信号（ＳＴＨ、ＣＫＨ１、ＣＫＨ２、ＳＴＨＥＶ、ＣＫＨ１ＥＶ、ＣＫＨ２ＥＶ）をスタンバイ状態として、両パネルをスリープ状態とする。これにより、両パネルは完全な非表示状態となる。
ステップＳ１５では、次に表示状態とするパネルの画素数に応じた入力周波数の映像信号を入力する。すなわち、次にサブモニタ２０を表示する場合には１３．５ＭＨｚの入力信号に切り替え、次にメインモニタ３０を表示する場合には２７ＭＨｚの入力信号に切り替える。
【００４２】
ステップＳ１６では、表示状態とするパネルのモード設定（ガンマ設定、ノーマリホワイト／ノーマリブラック設定等）を行う。これにより、パネルの通常表示が開始できる状態となる。
次に、ステップＳ１７では、初期化シーケンスを行う。ここでも、２フレーム期間、両パネルのすべての画素に対して０Ｖを印加する。このとき、共通駆動信号（ＳＴＶ、ＣＫＶ、ＤＳＧ）、及び各パネル用駆動信号（ＳＴＨ、ＣＫＨ１、ＣＫＨ２、ＳＴＨＥＶ、ＣＫＨ１ＥＶ、ＣＫＨ２ＥＶ）のスタンバイ状態は解除される。
【００４３】
ステップＳ１８では、２つのパネルのうち、一方のパネルを表示状態とし、他方のパネルを非表示状態とする。具体的には、非表示状態とするパネルの水平スタート信号及び水平クロック信号を停止すると共に、ビデオ出力（Ｖｉｄｅｏ、ＣＯＭ、ＤＳＤ）のスタンバイ状態を解除する。
ステップＳ１９では、２つのパネルのうち、表示状態とする方のパネルのバックライトをオンすることで、通常表示を開始する。
【００４４】
すなわち、今、メインモニタ３０が表示されている状態で、メインモニタ３０からサブモニタ２０への表示切替を行うための表示切替コマンドが入力されたものとすると、図６のステップＳ１２で、メインモニタ３０のバックライトをオフ状態とする。その後、ステップＳ１３で両パネルをスリープ状態とした後、ステップＳ１４で初期化シーケンスを行う。このとき、入力周波数はメインモニタ３０用の２７ＭＨｚとなっているため、各パネルの水平クロック信号の周期は図５に示すようになる。
【００４５】
このように、パネルの表示切替を行う際には、表示中のモニタを非表示状態とした後、すべての画素に０Ｖを書き込む初期化シーケンスを行うので、モニタを非表示状態としたときに発生する残像を適正になくすことができる。
そして、この両パネルが非表示となっている状態で、ステップＳ１５で、入力する映像信号を次に表示するサブモニタ２０の画素数に応じた入力周波数（１３．５ＭＨｚ）の映像信号に切り替え、ステップＳ１６でサブモニタ２０のモード設定をした後、ステップＳ１７で再び初期化シーケンスを行う。このとき、入力周波数はサブモニタ２０用の１３．５ＭＨｚとなっているため、各パネルの水平クロック信号の周期は図４に示すようになる。
【００４６】
その後、メインモニタ３０の水平スタート信号ＳＴＨ及び水平クロック信号ＣＫＨ１、ＣＫＨ２を停止すると共に、ビデオ出力（Ｖｉｄｅｏ、ＣＯＭ、ＤＳＤ）のスタンバイ状態を解除することで、サブモニタ２０を表示状態、メインパネル３０を非表示状態とする。
このように、パネルの表示切替を行う際には、次に表示するパネルの通常表示を開始する前に初期化シーケンスを行うことで、表示切替時における表示不具合を抑制することができる。
【００４７】
なお、ここではメインモニタ３０からサブモニタ２０への表示切替を行う場合について説明したが、サブモニタ２０からメインモニタ３０への表示切替を行う場合にも同様の動作を行う。
このように、本実施形態では、複数の表示パネルの画素数がそれぞれ異なる場合であっても、各表示パネルの画素数に応じた駆動制御や表示パネルの切替表示を行うことができる。
【００４８】
また、複数の表示パネルのうち、表示状態とする表示パネルの画素数に応じた入力周波数を有する映像信号を入力するので、表示状態とするパネルについては、入力される映像信号と表示する画像データとを一対一の関係とすることができ、入力信号から表示パネルの画素数に合わせた画像データを生成する等の必要がなくなり、回路を単純化することができる。
【００４９】
さらに、所定期間、複数の表示パネルにおけるすべての画素にオフ電圧（０Ｖ）を印加する初期化シーケンスを行う間、各表示パネルの画素数にそれぞれ対応したサンプリングの実行周期を示すクロック信号を個別に生成するので、映像信号の入力周波数が表示パネルの画素数に対応していなくても（映像信号の入力周波数が低くても）、すべての画素に０Ｖを印加することができ、適正に初期化シーケンスを実行することができる。
【００５０】
また、画素数の低い方の表示パネルに対応した入力周波数を有する映像信号が入力されている場合には、当該入力周波数から分周して画素数の高い方の表示パネルに対応した周期の水平クロック信号を生成するので、各表示パネルのすべての画素に書き込みを行うことができる。
さらに、２フレーム期間、画素に０Ｖを書き込むので、すべての画素を確実に初期状態とすることができる。
【００５１】
なお、上記実施形態においては、２フレーム期間、画素に０Ｖを書き込む初期化シーケンスを行う場合について説明したが、すべての画素に確実に０Ｖを書き込める期間であればよい。
さらに、上記実施形態においては、サブモニタ２０の画素数を１５万画素、メインモニタ３０の画素数を２３万画素に設定する場合について説明したが、あらゆる画素数に対応可能である。
【００５２】
また、上記実施形態においては、画素数の異なる２つの液晶パネルを備える表示装置について説明したが、画素数の異なる３つ以上の液晶パネルを備える表示装置にも本発明を適用することができる。この場合、タイミングコントローラ１１で、水平スタート信号及び水平クロック信号を液晶パネル分生成する構成とすればよい。
また、上記実施形態においては、本発明を、液晶を用いた表示装置に適用する場合について説明したが、液晶以外の電気光学物質を用いた表示装置に適用することもできる。
【図面の簡単な説明】
【００５３】
【図１】本実施形態における表示装置の構成を示すブロック図ある。
【図２】電源オン時における駆動シーケンスを示すフローチャートである。
【図３】電源オン時における駆動シーケンスを説明するタイミングチャートである。
【図４】入力周波数１３．５ＭＨｚにおける水平クロック信号の周期を説明するための図である。
【図５】入力周波数２７ＭＨｚにおける水平クロック信号の周期を説明するための図である。
【図６】パネル表示切替時における駆動シーケンスを示すフローチャートである。
【符号の説明】
【００５４】
１…表示装置、１０…制御回路、１１…タイミングコントローラ、１２…サブモニタ用駆動信号生成部、１３…メインモニタ用駆動信号生成部、１４…共通駆動信号生成部、２０…ＥＶＦ用液晶パネル（サブモニタ）、２１…画像表示部、２２…入力端子、２３…垂直走査回路、２４…水平走査回路、３０…ＬＣＤモニタ用液晶パネル（メインモニタ）、３１…画像表示部、３２…入力端子、３３…垂直走査回路、３４…水平走査回路
【図１】
2009265356.tif 000003
【図２】
2009265356.tif 000004
【図３】
2009265356.tif 000005
【図４】
2009265356.tif 000006
【図５】
2009265356.tif 000007
【図６】
2009265356.tif 000008